(57)【要約】【課題】パイプの局所的な損傷を伴うことなく、パイプを連結するフレキシブル筒材の長寿命化を図る。【解決手段】鉛直方向に間隔を開けて対向する上側パイプ１１と下側パイプ１２とをフレキシブル筒材１３を介して連結し、振動装置の作動による上側パイプ１１と下側パイプ１２の相対的な振動に伴い、フレキシブル筒材１３が撓んで、上側パイプ１１から下側パイプ１２への粉粒体移送管路を確保する継手において、上側パイプ１１は、下側パイプ１２と外径が同一とされた外パイプ１４と、平面視でその内側に設けられた内パイプ１５とから成り、外パイプ１４と下側パイプ１２とをフレキシブル筒材１３が連結するものとし、粉粒体が内パイプ１５の内部を通過するようにして、フレキシブル筒材１３への粉粒体の衝突を抑制する。【選択図】図２
2013166649.tif 000002
【特許請求の範囲】
【請求項１】
鉛直方向に間隔を開けて対向する上側パイプ(11)と下側パイプ(12)とをフレキシブル筒材(13)を介して連結し、振動装置の作動による上側パイプ(11)と下側パイプ(12)の相対的な振動に伴い、フレキシブル筒材(13)が撓んで、上側パイプ(11)から下側パイプ(12)への粉粒体の移送管路を確保する継手において、前記上側パイプ(11)は、前記下側パイプ(12)と外径が同一とされた外パイプ(14)と、平面視でその内側に設けられた内パイプ(15)とから成り、外パイプ(14)と下側パイプ(12)とを前記フレキシブル筒材(13)が連結するものとし、粉粒体が内パイプ(15)の内部を通過するようにしたことを特徴とする振動装置の粉粒体移送継手。
【請求項２】
前記内パイプ(15)の下端と前記外パイプ(14)の下端の鉛直方向位置が同位置となるようにしたことを特徴とする請求項１に記載の振動装置の粉粒体移送継手。
【請求項３】
前記振動装置として篩(1)を有する粉粒体の処理設備において、篩(1)の導入口とその上工程間、及び、篩(1)の排出口とその下工程間の少なくともいずれかに、請求項１又は２に記載の粉粒体移送継手を設けたことを特徴とする粉粒体の処理設備。
【発明の詳細な説明】
【技術分野】
【０００１】
この発明は、粉粒体を処理する篩や搬送する振動コンベヤ等、振動（揺動のように支点を中心とした往復動も含む）を利用する振動装置において、その振動部分と固定側部分等の相対的に位置変化がある部分を接続して粉粒体を移送する継手に関するものである。
【背景技術】
【０００２】
樹脂ペレットの造粒や生石灰の分級選別等の粉粒体処理において、振動装置である篩が使用されることがあり、下記特許文献１（明細書の段落［００６１］〜［００８９］及び図４）には、樹脂ペレットを造粒する篩の一例が記載されている。
【０００３】
この篩は、図５に示すように、篩本体５１の内部に上篩網５２及び下篩網５３を設け、篩本体５１を振動発生装置５４で振動させ、篩本体５１内に上部の原料供給口５５から供給された原料を篩網５２，５３により分離して、樹脂ペレットを製品放出口５６から放出し、微粉等を下部の粉体排出口５７から排出するものである。
【０００４】
原料供給口５５には、継手Ｔを介して接続されたスクリューフィーダー６４から原料が送り込まれる。この継手Ｔは、固定されたスクリューフィーダー６４の排出側のパイプ５８と、振動する原料供給口５５側のパイプ５９とを、鉛直方向に間隔を開けて対向させ、フレキシブル筒材６０を介して連結したものとされている。
【０００５】
粉体排出口５７には、継手Ｆを介して微粉等を捕捉する粉体捕捉器６５が接続されている。この継手Ｆは、振動する粉体排出口５７側のパイプ６１と、固定された粉体捕捉器６５側のパイプ６２とを、鉛直方向に間隔を開けて対向させ、フレキシブル筒材６３を介して連結したものとされている。
【０００６】
継手Ｔ，Ｆのフレキシブル筒材６０，６３は、篩本体５１の振動に伴い、それぞれパイプ５８，５９及びパイプ６１，６２の相対的な位置変化に対応して撓み、原料や微粉等の外部への流出を防いで、これらの落下による移送管路を確保するためものである。
【０００７】
フレキシブル筒材６０，６３としては、蛇腹構造の可撓管や帆布等のシートを筒状に縫製したものが使用される。
【先行技術文献】
【特許文献】
【０００８】
【特許文献１】特開２０００−１３５４７４号公報
【発明の概要】
【発明が解決しようとする課題】
【０００９】
しかしながら、このようなフレキシブル筒材は、襞状に入り組んだ部分に原料や微粉等の粉粒体が衝突し、寿命が短いものとなるという問題がある。
【００１０】
また、その対策として、上側パイプの下部を内側へ絞ってフレキシブル筒材から離し、粉粒体のフレキシブル筒材への衝突を減少させることが考えられるが、この場合、粉粒体が常時衝突するパイプの絞部が損傷しやすくなるという問題が生じる。
【００１１】
そこで、この発明は、パイプの局所的な損傷を伴うことなく、パイプを連結するフレキシブル筒材の長寿命化を図ることを課題とする。
【課題を解決するための手段】
【００１２】
上記課題を解決するため、この発明は、鉛直方向に間隔を開けて対向する上側パイプと下側パイプとをフレキシブル筒材を介して連結し、振動装置の作動による上側パイプと下側パイプの相対的な振動に伴い、フレキシブル筒材が撓んで、上側パイプから下側パイプへの粉粒体の移送管路を確保する継手において、前記上側パイプは、前記下側パイプと外径が同一とされた外パイプと、平面視でその内側に設けられた内パイプとから成り、外パイプと下側パイプとを前記フレキシブル筒材が連結するものとし、粉粒体が内パイプの内部を通過するようにしたのである。
【００１３】
また、前記内パイプの下端と前記外パイプの下端の鉛直方向位置が同位置となるようにしたのである。
【００１４】
また、前記振動装置として篩を有する粉粒体の処理設備において、篩の導入口とその上工程間、及び、篩の排出口とその下工程間の少なくともいずれかに、この粉粒体移送継手を設けたのである。
【発明の効果】
【００１５】
この発明に係る粉粒体移送継手では、粉粒体が上側パイプの内パイプの内部を通過して直線的に下方へ向かうので、パイプの局所的な損傷を伴うことなく、フレキシブル筒材への粉粒体の衝突を抑制でき、フレキシブル筒材の長寿命化を図ることができる。
【００１６】
また、フレキシブル筒材は、製作が容易な円筒状とすることができ、パイプへの接続も容易に行うことができる。
【図面の簡単な説明】
【００１７】
【図１】この発明の実施形態に係る粉粒体移送継手を備えた篩の全体概略図
【図２】同上の排出口側の継手Ｅを示す下方からの拡大斜視図
【図３】同上の継手Ｅの（ａ）上部横断平面図、（ｂ）縦断側面図
【図４】同上の継手Ｅの他の実施形態の（ａ）上部横断平面図、（ｂ）縦断側面図
【図５】従来の粉粒体移送継手を備えた篩の一部切欠全体概略図
【発明を実施するための形態】
【００１８】
以下、この発明の実施形態を添付図面に基づいて説明する。
【００１９】
図１に示す篩１は、架台２内の振動発生装置で振動させ、上部の導入口に継手Ｓを介して供給された原料を、内部に設けた篩網により分離して、製品となる所定の大きさの粉粒体を中間部の製品取出口３，４から取り出し、微粉等の粉粒体を下部の排出口から継手Ｅを介して排出するものである。
【００２０】
継手Ｓ，Ｅの構成は、固定側と振動側の関係が逆になっているものの、構成が共通するので、ここでは、継手Ｅについて図２及び図３に図示し、その構成を詳述する。
【００２１】
この継手Ｅは、図２及び図３に拡大して示すように、篩１の周壁からの張出部より垂下する上側パイプ１１と、下工程の設備機器に固定された下側パイプ１２とを、フレキシブル筒材１３を介して連結したものである。すなわち、上側パイプ１１が振動側となり、下側パイプ１２が固定側となっている。
【００２２】
上側パイプ１１と下側パイプ１２とは、鋼管等の剛性を有するものとされ、フレキシブル筒材１３は、帆布等のシートを筒状に縫製した柔軟なものとされている。
【００２３】
上側パイプ１１は、下側パイプ１２と外径が同一とされた外パイプ１４と、その内側に設けられた内パイプ１５とから成る二重構造とされ、内パイプ１５の下端の鉛直方向位置と、外パイプ１４の下端の鉛直方向位置とが同位置となっている。篩１から排出される微粉等の粒状物は、内パイプ１５の内部を通過する。
【００２４】
そして、外パイプ１４と下側パイプ１２とがフレキシブル筒材１３で連結され、フレキシブル筒材１３は、両端部がそれぞれ外パイプ１４と下側パイプ１２とにバンド１６で固定されている。
【００２５】
上記のような継手Ｅでは、原料の分級処理に際して、篩１と共に上側パイプ１１が振動し、上側パイプ１１の下側パイプ１２に対する位置が変化しても、フレキシブル筒材１３が撓んで、上側パイプ１１から下側パイプ１２への微粉等の粉粒体の落下による移送管路が確保され、粉粒体の外部への流出が防止される。
【００２６】
このとき、粉粒体が上側パイプ１１の内パイプ１５の内部を通過して直線的に下方へ向かうので、内パイプ１５の局所的な損傷を伴うことなく、フレキシブル筒材１３への粉粒体の衝突を抑制でき、フレキシブル筒材１３の長寿命化を図ることができる。
【００２７】
また、フレキシブル筒材１３は、製作が容易な円筒状とすることができ、上側の外パイプ１４及び下側パイプ１２への接続も容易に行うことができる。
【００２８】
そして、導入口側の継手Ｓにおいても、上側パイプ１１が固定され、下側パイプ１２が篩１と共に振動するという関係になっているものの、排出口側の継手Ｅと共通の構成とすることにより、継手Ｅと同様の効果を得ることができる。
【００２９】
なお、上記実施形態では、上側パイプ１１において、外パイプ１４と内パイプ１５の下端の鉛直方向位置が同位置に揃っているが、粉粒体のフレキシブル筒材１３への衝突を抑制できれば、外パイプ１４と内パイプ１５のいずれか一方を他方より長くしてもよい。
【００３０】
また、図４に示す他の実施形態のように、上側パイプ１１は、外パイプ１４の上端から段差部分を介して内パイプ１５が立ち上がるような形状としてもよい。
【符号の説明】
【００３１】
１  篩
２  架台
３，４  製品取出口
１１  上側パイプ
１２  下側パイプ
１３  フレキシブル筒材
１４  外パイプ
１５  内パイプ
１６  バンド
Ｓ，Ｅ  継手
【図１】
2013166649.tif 000003
【図２】
2013166649.tif 000004
【図３】
2013166649.tif 000005
【図４】
2013166649.tif 000006
【図５】
2013166649.tif 000007